(57)【要約】【課題】簡素な構成で耐振性、耐久性、放熱性に優れ、精度よく組み立てが可能な電子部品を提供する。【解決手段】電子部品は、その外装ケースの外周面に有底円筒状の底面から開口に向かって径方向の深さが浅くなるテーパ状の第１凹部１１が外周面に複数個形成されることによって、当該第１凹部１１の裏面に位置する外装ケースの内周面に径方向内方に向かって隆起するテーパ状に形成された第１隆起部１２を有する。また、コンデンサ素子２は、最外周面に陰極箔６を有し、当該陰極箔６は、底面側で陽極箔５およびセパレータ７から突出して外装ケースの底面と接触するとともに、最外周面の陰極箔６の露出部が第１隆起部１１と接触している。【選択図】図３
2019029455.tif 000002
【特許請求の範囲】
【請求項１】
陽極箔と陰極箔を、セパレータを介して重ね合わせて巻回してなる素子と、
前記素子の外周を固定するテープと、
前記素子を収納する有底円筒状の外装ケースと、
前記外装ケースの開口を封止する封止体と、を備えた電子部品であって、
前記外装ケースは、前記有底円筒状の底面から開口に向かって径方向の深さが浅くなるテーパ状の第１凹部が外周面に複数個形成されることによって、当該第１凹部の裏面に位置する前記外装ケースの内周面に径方向内方に向かって隆起するテーパ状に形成された第１隆起部を有し、
前記素子は、最外周面に前記陰極箔が露出しており、
前記陰極箔は、前記外装ケースの底面側で前記陽極箔および前記セパレータから突出して当該底面と接触するとともに、前記素子の最外周面の陰極箔露出部が前記第１隆起部と接触していることを特徴とする電子部品。
【請求項２】
前記素子は、前記外装ケースの底面側と前記外装ケースの開口側の少なくとも２箇所を前記テープで固定されており、
前記テープ間の前記素子最外周の陰極箔を前記第１隆起部に接触させたことを特徴とする請求項１に記載の電子部品。
【請求項３】
前記底面側テープの前記外装ケースの底面側端辺が、前記素子最外周の陰極箔のうち前記陽極箔の端辺から突出している部分に位置するように前記底面側テープが前記陰極箔に貼り付けられている
ことを特徴とする請求項２に記載の電子部品。
【請求項４】
前記底面側テープは、前記素子最外周の陰極箔の突出部分の先端から離れた位置に貼り付けられており、
前記底面側テープの先端側端辺から前記素子最外周の陰極箔の先端を結ぶ仮想線と前記陰極箔の外表面とが成す角度が、前記第１隆起部のテーパの角度以上である
ことを特徴とする請求項２または３のいずれかに記載の電子部品。
【請求項５】
前記素子最外周の陰極箔の突出部分は、前記素子の径方向内方側に予め傾斜している
ことを特徴とする請求項１ないし３のいずれかに記載の電子部品。
【請求項６】
前記セパレータは、前記陽極箔の厚みを超える長さで当該陽極箔の端部から突出しており、当該セパレータの突出部分は、前記陽極箔の端部からの前記陰極箔の突出部分の長さよりも短い
ことを特徴とする請求項１ないし５のいずれかに記載の電子部品。
【請求項７】
前記外装ケースの底面には、当該底面の外周端から中心に向かって延伸して形成される第２凹部が形成されることによって当該第２凹部の裏面に位置する当該底面の裏面に前記開口に向かって隆起する第２隆起部が形成されている
ことを特徴とする請求項１ないし６のいずれかに記載の電子部品。
【請求項８】
前記外装ケースの底面には、同心を有する環状の第３凹部が形成されることによって当該第３凹部の裏面に位置する当該底面の裏面に前記開口に向かって隆起する第３隆起部が形成されている
ことを特徴とする請求項１ないし６のいずれかに記載の電子部品。
【発明の詳細な説明】
【技術分野】
【０００１】
本発明は、電気機器および車両などに用いられる電子部品に関する。
【背景技術】
【０００２】
近年、車両のほか電気機器においても電子部品の使用される環境は多様化している。そのため、電気機器などに使用される電子部品に対しても耐環境性能が強く要求される。具体的には、機械的強度が高く、耐振性に優れた電子部品が要求される。しかしながら、電解コンデンサ、電気二重層コンデンサ、リチウムイオンキャパシタなどの円筒状の電子部品は、回路基板に直立させて電極端子をはんだなどで固定することから、振動に弱い傾向がある。
【０００３】
そこで、当該要求を満たすために、以下のような形態が実施されている。例えば、金属ケースとコンデンサ素子とのギャップを小さくするため、コンデンサ素子の外周に巻止めテープを多重に巻回した状態でコンデンサ素子を金属ケースに収納した後に、当該金属ケースの外周の２箇所をカーリング手段によって押圧してケース周方向に凹部を形成し、当該凹部の裏面側で突出した環状の凸部によって当該コンデンサ素子の円周全体を当接支持している（特許文献１を参照）。
【０００４】
また、コンデンサの内部温度上昇に伴う性能劣化などが問題となっており、放熱性に優れたコンデンサが要求されている。この要求を満たすために、例えば以下のような構成が提案されている。セパレータを介して陽極箔と陰極箔を巻回してコンデンサ素子を形成するとき、当該コンデンサ素子の最外周面に陰極箔を露出させるとともに、ケース挿入時の先端側の端面から陰極箔のみを突き出させる。ケースにコンデンサ素子を挿入して先端の陰極箔をケースの底面に接触させる。コンデンサ素子の外径は、ケースの内径よりも小さいので、ケースの外周を挟み込んで圧縮し、扁平缶形状にすることによってケースの内壁をコンデンサ素子の最外周面の陰極箔に接触させている。すなわち、陰極箔をケースに接触させることにより、コンデンサの放熱を行っている（特許文献２を参照）。
【先行技術文献】
【特許文献】
【０００５】
【特許文献１】特開２００８−１０９０７４号公報
【特許文献２】特開平１１−１２６７３３号公報
【発明の概要】
【発明が解決しようとする課題】
【０００６】
しかしながら、耐振性を考慮した場合、特許文献１に記載のケースは、内周面に形成した複数の環状の凸部によって素子の円周全体を押圧して固定するが、コンデンサ素子の振動幅が最も大きくなるケース底面側の振動を抑制するためには押圧を強くする必要がある。そのため、コンデンサ素子の形状にばらつきがある場合、外形寸法の大きな部分に過剰な押圧力が作用しやすい。したがって、この場合、コンデンサ素子が破損するおそれがある。
【０００７】
特許文献２は、ケースにコンデンサ素子を挿入した後に、圧縮して扁平缶形状にするので、圧縮時にコンデンサ素子を破損させるおそれがある。また、ケースにコンデンサ素子を挿入した状態で、圧縮によって円筒状のケースを均一な扁平缶形状に調整するのは困難であり、最外周面の陰極箔とケースの内壁の接触面積にばらつきが生じてしまう。また、コンデンサの仕様に応じてケースの外径などが異なる。それ故に、ケースごとに変形のし易さが異なり、外形寸法が定まらない。その結果、不定の抵抗成分が発生するといった問題が生じていた。また、外形寸法にばらつきが生じた場合、コンデンサ素子の封止精度を低下させるといった問題も生じていた。
【０００８】
本発明は、上記問題点に鑑みてなされたものであり、簡素な構成で耐振性、耐久性、放熱性に優れ、精度よく組み立てが可能な電子部品を提供することを目的とする。
【課題を解決するための手段】
【０００９】
本発明は、以下のような電子部品を提供する。
【００１０】
すなわち、本発明の実施態様に係る電子部品は、下記の構成を有する。
陽極箔と陰極箔を、セパレータを介して重ね合わせて巻回してなる素子と、
前記素子の外周を固定するテープと、
前記素子を収納する有底円筒状の外装ケースと、
前記外装ケースの開口を封止する封止体と、を備えた電子部品であって、
前記外装ケースは、前記有底円筒状の底面から開口に向かって径方向の深さが浅くなるテーパ状の第１凹部が外周面に複数個形成されることによって、当該第１凹部の裏面に位置する前記外装ケースの内周面に径方向内方に向かって隆起するテーパ状に形成された第１隆起部を有し、
前記素子は、最外周面に前記陰極箔が露出しており、
前記陰極箔は、前記外装ケースの底面側で前記陽極箔および前記セパレータから突出して当該底面と接触するとともに、前記素子の最外周面の陰極箔露出部が前記第１隆起部と接触していることを特徴とする。
【００１１】
この構成によれば、外装ケースに素子を挿入する過程で、最外周面の陰極箔は、第１隆起部と接触する。また、素子に部分的に外形寸法の大きな箇所がある場合であっても、当該箇所は、接触している第１隆起部から離れて隣り合う第１隆起部との間に入り込むようにして案内誘導される。すなわち、第１隆起部との接触によって素子に過剰な押圧力が作用するのを回避することができる。したがって、素子の破損を抑制しながら素子を精度よく保持することができる。
【００１２】
また、外装ケースの内周面には、規定された複数の第１隆起部が設けられているので、素子の最外周面で露出する陰極箔と第１隆起部との接触面積が安定し、不定の抵抗成分の発生を抑制することができる。また、素子の挿入後に外装ケースを圧縮して変形させる必要がないので、封止精度を保つこともできる。
【００１３】
さらに、外装ケースの底面に陰極箔の挿入側の先端を接触させるとともに、素子の最外周面で露出した陰極箔を第１隆起部に接触させることにより、外装ケースを介してケース内部の温度を効率よく放熱することができる。
【００１４】
したがって、上記電子部品の構成によれば、耐振性、耐久性および放熱性に優れた電子部品を簡素な構成で精度よく組み立てることができる。
【００１５】
前記素子は、前記外装ケースの底面側と前記外装ケースの開口側の少なくとも２箇所を前記テープで固定されており、
前記テープ間の前記素子最外周の陰極箔を前記第１隆起部に接触させることが好ましい。
【００１６】
この構成によれば、素子が膨出形状（樽形状）になるので、テーパ状の第１隆起部との接触面積を拡大することができる。したがって、電子部品の放熱性が向上する。
【００１７】
上記構成において、前記底面側テープの前記外装ケースの底面側端辺が、前記素子最外周の陰極箔のうち前記陽極箔の端辺から突出している部分に位置するように前記底面側テープが前記陰極箔に貼り付けられていることが好ましい。
【００１８】
この構成によれば、外装ケースに挿入する素子先端側のテープの端辺が、第１隆起部と接触したとき、当該テープにかかる押圧が、自由端である陰極箔の突出部分に作用し、巻軸側（径方向内方側）に陰極箔が倒れ込み易くなる。したがって、素子挿入時のテープと第１隆起部との摩擦抵抗によって陰極箔が、外向きにめくれ上がるのを抑制することができ、ひいては精度よく電子部品を組み立てることができる。
【００１９】
なお、上記構成において、前記底面側テープは、前記素子最外周の陰極箔の突出部分の先端から離れた位置に貼り付けられており、
前記底面側テープの先端側端辺から前記素子最外周の陰極箔の先端を結ぶ仮想線と前記陰極箔の外表面とが成す角度が、前記第１隆起部のテーパの角度以上であることがより好ましい。
【００２０】
この構成によれば、テープおよび陰極箔の先端側の端辺が、第１隆起部と同時に接触、またはテープの端辺が先に第１隆起部と接触して押圧されるので、自由端である陰極箔が巻軸側（径方向内方側）に倒れ込み易くなる。
【００２１】
また、上記構成において、前記素子最外周の陰極箔の突出部分は、前記素子の巻軸方向に対して径方向内方側に予め傾斜していることがさらに好ましい。
【００２２】
この構成によれば、陰極箔の突出部分が、第１隆起部のテーパ面に滑らかに接触するので、第１隆起部との摩擦抵抗が低減され、外向きにめくれ上がるのを確実に抑制することができる。
【００２３】
上記構成において、前記セパレータは、前記陽極箔の厚みを超える長さで当該陽極箔の端部から突出しており、当該セパレータの突出部分は、前記陽極箔の端部からの前記陰極箔の突出部分の長さよりも短いことが好ましい。
【００２４】
この構成によれば、素子の挿入時に先端が外装ケースと接触し、陰極箔の突出部分が倒れ込んだとき、当該陰極箔と陽極箔との間に介在するセパレータが陽極箔の端部を被覆するので、陰極箔と陽極箔とが接触してショートするのを回避することができる。
【００２５】
なお、上記構成において、外装ケースの底面を以下のように構成してもよい。
例えば、前記外装ケースの底面には、当該底面の外周端から中心に向かって延伸して形成される第２凹部が形成されることによって当該第２凹部の裏面に位置する当該底面の裏面に前記開口に向かって隆起する第２隆起部を形成する。
【００２６】
または、前記外装ケースの底面には、同心を有する環状の第３凹部が形成されることによって当該第３凹部の裏面に位置する当該底面の裏面に前記開口に向かって隆起する第３隆起部を形成する。
【００２７】
この構成によれば、素子の先端側が外装ケースの底面の裏面側に形成された第２隆起部または第３隆起部と接触するので、外装ケースの内周面と裏面とによって素子をより安定して当接支持することができる。その結果、素子の外周のみを第１隆起部によって当接支持する場合に比べて耐振性がより向上する。
【発明の効果】
【００２８】
本発明によれば、簡素な構成で耐振性、耐久性、放熱性に優れ、精度よく組み立てが可能な電子部品を提供することができる。
【図面の簡単な説明】
【００２９】
【図１】電解コンデンサの構成を示す断面図である。
【図２】電解コンデンサで使用されるコンデンサ素子の斜視図である。
【図３】図１に示す電解コンデンサの底面側の角部を拡大した断面図である。
【図４】電解コンデンサに使用される外装ケースの斜視図である。
【図５】第１隆起部とコンデンサ素子との接触動作を示す模式図である。
【図６】変形例の電解コンデンサに使用される外装ケースの斜視図である。
【図７】変形例の電解コンデンサに使用される外装ケースの斜視図である。
【発明を実施するための形態】
【００３０】
以下、本発明の実施の形態について、図面に基づき詳細に説明する。なお、本実施形態では、電子部品としてアルミニウム電解コンデンサ（以下、適宜に「電解コンデンサ」と称す）を例にとって説明する。
【００３１】
＜電解コンデンサ＞
図１に示すように、本実施形態の電解コンデンサ１は、コンデンサ素子２と、弾性封口材３と、外装ケース４とを備える。なお、コンデンサ素子２は、本発明の素子に相当し、弾性封口材３は、本発明の封止体に相当する。
【００３２】
図２に示すように、コンデンサ素子２は、陽極箔５と、陰極箔６とがセパレータ（電解紙）７を介して巻回して形成されている。コンデンサ素子２の最外周面には、陰極箔６が露出している。なお、コンデンサ素子２を固定するために、図１に示すように、当該コンデンサ素子２は、有底円筒状の外装ケース４への挿入時の底面側および開口側の２箇所に素子止めテープ８が巻回されている。なお、素子止めテープ８は、本発明のテープに相当する。
【００３３】
コンデンサ素子２の外装ケース４への挿入時の先端側は、図３に示すように、陽極箔５の端部よりも陰極箔６およびセパレータ７が突出している。陰極箔６の陽極箔５に対する突出部分の長さは、セパレータ７の陽極箔５に対する突出部分の長さよりも長い。本実施形態では、陰極箔６およびセパレータ７の突出部分の各長さは、次のように設定されている。
【００３４】
先ず、陽極箔５と隣接するセパレータ７の突出部分の長さは、陽極箔５の厚み以上に設定されている。陰極箔６の突出部分の長さは、陽極箔５の厚みにセパレータの厚みの２倍の長さを加算した長さ（陽極箔５の厚み＋セパレータ７の厚み×２）に設定されている。すなわち、コンデンサ素子２を外装ケース４に挿入する過程で、当該コンデンサ素子２の先端が外装ケース４の底面と接触して陰極箔６およびセパレータ７が、巻軸方向に倒れ込んだとき、陽極箔５の端部がセパレータ７によって被覆され、陽極箔５と陰極箔６とが接触してショートするのを回避するように設定されている。また、複数の陰極箔６の突出部分が巻軸方向に倒れ込んだとき、突出部分が連なって略面状となり、外装ケース４の底面と面接触し易くなるように設定されている。
【００３５】
コンデンサ素子２のケース底面側に貼り付けられている素子止めテープ８の幅方向の長さは、外装ケース４の内周面に形成された第１隆起部１２の長さＬ１の１０％以下となる長さＬ２に設定されている。当該長さＬ２が、長さＬ１の１０％を超える場合、コンデンサ素子２の最外周面で露出する陰極箔６と第１隆起部１２との接触面積が小さくなり、放熱効率が低下する。
【００３６】
また、ケース底面側の素子止めテープ８は、陰極箔６の突出部分の先端（ケース底面側）から離れた陽極箔５と陰極箔６が重なる部分と陰極箔６の突出部分とに跨って貼り付けられている。すなわち、コンデンサ素子２を外装ケース４に挿入する過程で、ケース底面側の素子止めテープ８の先端側が第１隆起部１２と接触し、巻軸側（径方向内方側）への押圧が当該素子止めテープ８を介して陰極箔６とセパレータ７の各突出部分の基端側（巻軸方向における陽極箔５の端辺位置）に作用し、自由端である両突出部分が、巻軸側に倒れ込み易くなるように設定されている。換言すれば、巻軸側に陰極箔６を倒れ込み易くすることにより、外装ケース４への挿入時の底面側素子止めテープ８と第１隆起部１２との摩擦抵抗が低減されるので、陰極箔６が外向きにめくれ上がるのを抑制する。
【００３７】
次に、陽極箔５と陰極箔６には平坦状のリードタブがそれぞれ接続されており、図１および図２に示されるように、このリードタブを介して陽極箔５および陰極箔６からそれぞれリード部１０が引き出されている。２つのリード部１０は、コンデンサ素子２の一方の端面から導出されている。各リード部１０は、リードタブの先端に連結された丸棒状の接続部１０Ａと、接続部１０Ａの先端部に溶接されたリード線１０Ｂとから構成されている。
【００３８】
陽極箔５は、アルミニウム、タンタル、ニオブなどの弁作用金属で形成されている。陽極箔５の表面は、エッチング処理により粗面化されるとともに、陽極酸化（化成）による陽極酸化皮膜（図示せず）が形成されている。
【００３９】
また、陰極箔６も、陽極箔５と同様にアルミニウムなどで形成され、その表面は粗面化されるとともに、自然酸化皮膜（図示せず）が形成されている。なお、陰極箔６には、陽極酸化皮膜を形成した箔、チタン、窒化チタン等を表面に蒸着した箔、カーボンやチタン等を担持した箔を用いることもできる。なお、陰極箔６の幅は、陽極箔５よりも突出部分の長さだけ大きくてもよいし、あるいは、陽極箔５と同じ幅の陰極箔６を使用してもよい。陽極箔５と同じ陰極箔６を使用する場合、所定長さの突出部分を確保できる位置に陰極箔６を巻軸方向にずらせばよい。
【００４０】
セパレータ７には駆動用電解液が保持されている。これにより、陽極箔５とセパレータ７との間に駆動用電解液が保持され、陰極箔６とセパレータ７との間にも駆動用電解液が保持されている。駆動用電解液は、コンデンサ素子２を駆動用電解液中に含浸させることにより保持される。なお、セパレータ７の幅は、陽極箔５の幅以上に設定されており、突出部分の長さを考慮して設定される。また、セパレータ７は、外装ケース４の開口側で最外周の陰極箔６よりも突出するように設定される。
【００４１】
素子止めテープ８は、ポリプロピレン、ポリフェニレンサルファイド、ポリイミドなどの樹脂基材または紙などの基材に粘着剤を塗布したものである。本実施形態では、素子止めテープ８の厚みを０．０４ｍｍ〜０．０６ｍｍまでのものを使用している。素子止めテープ８の巻回数は、１回または複数回に設定される。あるいは、素子止めテープ同士が重ならないようにスパイラル状に巻回してもよい。なお、素子止めテープ８の厚みおよび巻回数は、電解コンデンサ１のサイズや特性などによって適宜に設定変更される。
【００４２】
図１に示すように、コンデンサ素子２は、有底円筒状に形成された外装ケース４に収納されている。
【００４３】
外装ケース４は、アルミニウムなどにより形成されている。図４に外装ケース４を記載しているが、説明の便宜上、底面を上向としている。この外装ケース４は、有底円筒状の底面４Ａから開口に向かうに連れて深さが浅くなるテーパ状の第１凹部１１を外周面４Ｂに所定間隔（本実施形態ではケース周方向に等間隔）をおいて複数個形成されている。また、第１凹部１１は、凹入湾曲形状である。また、図１および図３に示すように、第１凹部１１の裏面に位置する内周面には、底面４Ａから開口に向い、かつ、径方向内方側への隆起高さが低くなるテーパ状の第１隆起部１２が形成されている。したがって、第１隆起部１２は、第１凹部１１と同様に所定間隔をおいて複数個形成されている。なお、第１隆起部１２の頂部は、外装ケース４の中心に向いている。このとき、第１凹部１１の外装ケース４の底面円周上の幅は、例えば、〔外装ケースの円周長／凹部の本数〕×Ｎ％となるように設定される。なお、Ｎは、外装ケース４のサイズなど外形寸法に応じて１〜３０％の範囲で適宜設定される。また、第１凹部１１の本数は、例えば、３本以上が好ましく、６本以上であればコンデンサ素子２のリード部１０が第１凹部１１に対してどこに位置しても耐振性を向上させることができる。
【００４４】
第１隆起部１２は、コンデンサ素子２を当接支持する。また、第１凹部１１の深さＤ（図３を参照）は、コンデンサ素子２の破損および断線の生じない範囲でコンデンサ素子２に対して第１隆起部１２の接触部分の一部を食い込ませるよう設定される。例えば、外装ケース４の直径が１８ｍｍ、長さ４０ｍｍの場合、第１隆起部１２が、コンデンサ素子２に最大で０．３ｍｍまで食い込むように設定される。なお、第１隆起部１２がコンデンサ素子２に食い込む深さは、コンデンサ素子２にストレスを与えないようコンデンサ素子２の直径の１０％以下とすることが望ましい。
【００４５】
第１隆起部１２は、外装ケース４の開口側からコンデンサ素子２を挿入する過程で、コンデンサ素子２の外周面の先端側からリード部側の基端に向かって第１隆起部１２の長さ方向に接触面積を徐々に増やしながらコンデンサ素子２を当接支持してゆく。換言すれば、第１隆起部１２が、コンデンサ素子２を僅かに弾性変形させながらコンデンサ素子２を当接支持する。
【００４６】
また、第１隆起部１２は、コンデンサ素子２の挿入過程で次のように機能する。コンデンサ素子２に直径や形状など部分的に外形寸法の大きな箇所がある場合、第１隆起部１２との接触によって当該箇所に作用する押圧力が他の部分に作用する押圧力よりも大きくなる。したがって、コンデンサ素子２の外形寸法の大きな箇所が第１隆起部１２の頂部の面取りに接触している場合、コンデンサ素子２の弾性変形に伴う復元力（反発力）によって、当該箇所が第１隆起部１２を滑りながら隣り合う第１隆起部１２との間に案内誘導される。
【００４７】
外装ケース４の開口は、図１に示すように、２本のリード部１０が外部に引き出された状態で、弾性封口材３によって封止されている。弾性封口材３は、外装ケース４の開口に形成された巻き締め部１５によって圧縮された状態で配置されている。なお、外装ケース４の底部には、弁（図示せず）が設けられており、内圧が上昇した際に、当該弁が開弁して内圧を外部に逃がすようになっている。
【００４８】
弾性封口材３には、２本のリード部１０がそれぞれ貫通する２つの貫通孔１４が形成されている。弾性封口材３に力が作用していない無負荷状態での貫通孔１４の内径は、接続部１０Ａの外径よりも僅かに小さい。
【００４９】
弾性封口材３は、ゴムまたは熱可塑性エラストマーを基材とする組成物により形成されている。弾性封口材３を構成するゴムとしては、具体的には、ＥＰＴ（エチレンプロピレンターポリマー）、ＥＰＤＭ（エチレンプロピレンジエンモノマー共重合体）、ＩＩＲ（イソプレンイソブチレンラバー）などが用いられる。
【００５０】
以下に実施例を挙げて、本発明をさらに具体的に説明する。
【００５１】
従来の電解コンデンサ（比較例）と上記実施形態の電解コンデンサ（実施例）とを作製し、定格電圧を印加（定格リプル電流重畳）した後の発熱温度を測定した。比較例は、コンデンサ素子の最外周面がセパレータで被覆されている。また、挿入時のコンデンサ素子の先端側は、陰極箔およびセパレータが陽極箔から突き出ていない。なお、比較例および実施例の電解コンデンサの特性は、定格電圧１００Ｖ、静電容量１０００μＦ、直径１８ｍｍ、高さ４０ｍｍである。
【００５２】
測定条件は、２５℃の雰囲気中で電解コンデンサに定格電圧を印加（定格リプル電流重畳）し、外装ケース内に熱電対を挿入してコンデンサ素子の内部および外装ケースの外側底面の２箇所の温度を測定した。
【００５３】
測定の結果、実施例の２箇所の測定位置での発熱温度（温度上昇）の平均が、１．４℃であった。また、比較例の２箇所の測定位置での発熱温度の平均が、２．９℃であった。したがって、実施例の発熱温度は、比較例に対して約５０％以上低減されている。すなわち、実施例は、比較例に対して放熱性が向上している。
【００５４】
上述のように、本実施形態に係る電解コンデンサ１の構成によれば、有底円筒状の底面４Ａから開口に垂直に向かうに連れて深さが浅くなるテーパ状の第１凹部１１を外周面４Ｂに複数個形成することによって、当該外周面の裏面側に形成された第１凹部１１と同形状の第１隆起部１２によってコンデンサ素子２を垂直方向で支持している。したがって、電解コンデンサ１の耐振性を高めることができ、第１凹部１１によって外装ケース４の強度も高めることができる。
【００５５】
また、コンデンサ素子２に部分的に外形寸法の大きな箇所がある場合、当該箇所が、第１隆起部１２から離れて隣り合う第１隆起部１２の間に入り込むようにして案内誘導される。したがって、本実施形態の電解コンデンサ１によれば、コンデンサ素子２と第１隆起部１２との接触によって当該コンデンサ素子２に過剰な押圧力が作用するのを回避することができ、ひいてはコンデンサ素子２が、破損するのを防止することができる。
【００５６】
また、コンデンサ素子２の挿入先端側からリード部側基端に向かう外周面は、第１隆起部１２の頂部と所定長さおよび所定面積で接触しているので、コンデンサ素子２への押圧力が分散され、ひいてはコンデンサ素子２が破損するのを防止することができる。
【００５７】
さらに、コンデンサ素子２の先端側で陽極箔５の先端から突き出た陰極箔６を外装ケース４の底面４Ａに接触させるとともに、最外周面の陰極箔６を第１隆起部１２に接触させることにより、電解コンデンサ１の放熱性を高めることができる。
【００５８】
なお、本発明は、上記実施形態の電解コンデンサ１の構成に限定されず、以下のように構成してもよい。
【００５９】
（１）上記実施形態の電解コンデンサ１では、最外周面の陰極箔６の表面が、外装ケース４の垂直な内壁に対して平行であったが、２本の素子止めテープ８の巻き締め力を調整し、両素子止めテープ８の間の陰極箔６の表面が径方向外方に膨出形状になるように構成してもよい。すなわち、コンデンサ素子２の挿入側の先端と開口側の基端の２方向から陰極箔６にテンションを付与することなく、フリーな状態でコンデンサ素子２の両端側を素子止めテープ８で巻き締める。このとき、素子止めテープ間の陰極箔６の表面が、両端から巻軸の中心に向かうにつれて外径が大きくなる。すなわち、コンデンサ素子２の外径が、略樽形状になる。
【００６０】
この構成によれば、コンデンサ素子２の外形が、略樽形状になるので、最外周面の陰極箔６とテーパ状の第１隆起部１２との接触面積を拡大することができる。したがって、電解コンデンサ１の放熱性および耐振性が向上する。
【００６１】
（２）上記実施形態において、底面側素子止めテープ８の貼り付け位置を次のように設定してもよい。例えば、図５に示すように、底面側素子止めテープ８は、陰極箔６の突出部分の先端から離れた位置に貼り付けられており、底面側の当該素子止めテープ８の先端側端辺から陰極箔６の先端を結ぶ仮想線（図中の破線）と陰極箔６の外表面とが成す角度α１と、第１隆起部１２のテーパの角度α２との関係がα１≧α２となるように設定する。
【００６２】
この構成によれば、陰極箔６および底面側素子止めテープ８の先端側の端辺が、第１隆起部１２と同時に接触、または、底面側素子止めテープ８の端辺のみが先に第１隆起部１２と接触する。底面側素子止めテープ８の端辺が第１隆起部１２と最初に接触するので、突出部分の基端側から先端に向けて押圧が作用し、陰極箔６の突出部分が巻軸側に倒れ込み易くなる。したがって、第１隆起部１２との摩擦抵抗によって陰極箔６が、外向きにめくれ上がるのを抑制することができる。
【００６３】
（３）また、上記実施形態において、最外周面の陰極箔６の突出部分が、図３に示すように、予め巻軸側（径方向内方側）に傾斜するように構成してもよい。
【００６４】
この構成によれば、外装ケース４にコンデンサ素子２を挿入する過程で、巻軸方向に予め傾斜角を有する陰極箔６の突出部分は、第１隆起部１２のテーパ面に滑らかに接触してゆくので、当該陰極箔６の突出部分が、外向きにめくれ上がるのを確実に抑制することができる。
【００６５】
（４）外装ケース４は、図６に示すように、底面４Ａの外周から開口に向かって先細り形状とする第１凹部１１Ａと、第１凹部１１Ａと同形状で、第１凹部１１Ａと連結する態様で底面４Ａの外周からその中心に向かって先細り形状となる第２凹部１１Ｂとを備えた構成であってもよい。すなわち、有底円筒状の底面４Ａから開口に向かって径方向の深さが浅くなるテーパ状の第１凹部１１Ａと、底面４Ａの外周側で第１凹部１１Ａと連結して底面４Ａの中心に向かって深さが浅くなるテーパ状に第２凹部１１Ｂとを形成する。第１凹部１１Ａおよび第２凹部１１Ｂの裏面側には、第１隆起部１２Ａおよび第２隆起部が形成されている。
【００６６】
また、外装ケース４は、図７に示すように構成してもよい。底面４Ａと同心を有する環状および円状の第３凹部１１Ｃを形成する。当該第３凹部１１Ｃの位置する底面４Ａの裏面には、開口に向かって隆起する第３隆起部が形成されている。なお、第３凹部間のピッチは、適宜に設定変更される。
【００６７】
上記のように底面４Ａに第２隆起部または第３隆起部を形成することによって、外装ケース４の内周面と底面４Ａの裏面とによってコンデンサ素子２を当接支持することができる。その結果、コンデンサ素子２の外周のみを第１隆起部１２によって当接支持する場合に比べて耐振性がより向上する。さらには、外装ケース４の強度を向上させることもできる。
【００６８】
（５）上記実施形態では、電解コンデンサを例にとって説明したが、電解コンデンサに限らず、例えば、電気二重層コンデンサ、リチウムイオンキャパシタなどの円筒状の外装ケースで素子を封止する電子部品に、上記各実施形態に記載の外装ケース４を適用することができるのはいうまでもない。
【符号の説明】
【００６９】
１  電解コンデンサ
２  コンデンサ素子
３  弾性封口材
４  外装ケース
５  陽極箔
６  陰極箔
７  セパレータ
８  素子止めテープ
１０  リード部
１０Ａ  接続部
１０Ｃ  リード線
１１、１１Ａ  第１凹部
１１Ｂ  第２凹部
１１Ｃ  第３凹部
１２  第１隆起部
１４  貫通孔
１５  巻き締め部
【図１】
2019029455.tif 000003
【図２】
2019029455.tif 000004
【図３】
2019029455.tif 000005
【図４】
2019029455.tif 000006
【図５】
2019029455.tif 000007
【図６】
2019029455.tif 000008
【図７】
2019029455.tif 000009